(57)【要約】【解決手段】スイッチ１０，１１，１２の入り切り操作により操作信号を入力回路１６に送る操作スイッチ部９を備えている。操作信号の入力時に開閉動処理装置１３から流れる出力電流が通る変調回路１７をスイッチ１０，１１，１２と開閉動処理装置１３との間で入力回路１６に対し並列接続するとともに、スイッチ１０，１１，１２に復調回路２３を接続している。開閉動処理装置１３からの情報信号を変調回路１７とスイッチ１０，１１，１２と復調回路２３とを経て取り出し、復調回路２３からの情報信号を情報処理装置１８で処理する。スイッチ１０，１１，１２に接続した電源回路２４をスイッチ１０，１１，１２と情報処理装置１８との間で復調回路２３に対し並列接続し、電源回路２４を情報処理装置１８及び復調回路２３の電源として利用している。【効果】各種情報信号を取り出すための専用回線を必要とせず、そのための回線を簡略化することができる。【選択図】図３
2007154420.tif 000002
【特許請求の範囲】
【請求項１】
開閉カーテンと、この開閉カーテンを開閉動させる駆動部と、接点の入り切り操作により操作信号を入力回路に送る操作スイッチ部と、その入力回路からの操作信号の入力に基づきこの駆動部に制御信号を出力してこの駆動部を駆動制御する開閉動処理装置とを備えた電動シャッターにおいて、
前記操作信号の入力時に前記開閉動処理装置から流れる出力電流が通る変調回路を前記操作スイッチ部の接点とこの開閉動処理装置との間で前記入力回路に対し並列接続するとともに、この変調回路に対し復調回路をこの操作スイッチ部の接点を介して直列接続し、この開閉動処理装置からの情報信号をこの変調回路と操作スイッチ部の接点と復調回路とを経て取り出し、その復調回路からの情報信号を処理する情報処理装置を備えた
ことを特徴とする電動シャッター。
【請求項２】
前記操作スイッチ部の接点に接続した電源回路をこの操作スイッチ部の接点と前記情報処理装置との間でこの復調回路に対し並列接続し、この電源回路をこの情報処理装置の電源として利用することを特徴とする請求項１に記載の電動シャッター。
【請求項３】
前記操作スイッチ部は、開閉カーテンを開動させる開動操作信号を入力回路に送る開動用常開接点と、開閉カーテンを閉動させる閉動操作信号を入力回路に送る閉動用常開接点と、開閉カーテンの開閉動を停止させる停止操作信号を入力回路に送る停止用常閉接点とを備え、前記操作スイッチ部の接点はこの開動用常開接点と閉動用常開接点と停止用常閉接点とのうち少なくともいずれかのものであることを特徴とする請求項１または請求項２に記載の電動シャッター。
【請求項４】
前記開閉動処理装置からの情報信号は、開動運転及び閉動運転の回数であることを特徴とする請求項１または請求項２または請求項３に記載の電動シャッター。
【請求項５】
前記情報処理装置は、前記操作スイッチ部を設けたスイッチボックスに内蔵されていることを特徴とする請求項１から請求項４のうちいずれかの請求項に記載の電動シャッター。
【請求項６】
開閉カーテンと、この開閉カーテンを開閉動させる駆動部と、接点の入り切り操作により操作信号を入力回路に送る操作スイッチ部と、その入力回路からの操作信号の入力に基づきこの駆動部に制御信号を出力してこの駆動部を駆動制御する開閉動処理装置とを備えた電動シャッターにおいて、
前記操作信号の入力時に前記開閉動処理装置から流れる出力電流が通る出力回路を前記操作スイッチ部の接点とこの開閉動処理装置との間で前記入力回路に対し並列接続するとともに、この出力回路に対し電源回路をこの操作スイッチ部の接点を介して直列接続したことを特徴とする電動シャッター。
【発明の詳細な説明】
【技術分野】
【０００１】
本発明は建物等の開口を開閉する電動シャッターに関するものである。
【背景技術】
【０００２】
従来の電動シャッターでは、開動運転及び閉動運転の回数など運転に関する各種情報信号を取り出すための専用回線や、各種処理装置へ電源を供給する専用回線を必要としていた。
【発明の開示】
【発明が解決しようとする課題】
【０００３】
そのため、上記専用回線を配線する作業や部品が余分に必要となり、配線作業が面倒であった。
この発明は、運転に関する各種情報信号を取り出すための回線や、各種処理装置へ電源を供給するための回線を既存部品の有効利用により簡略化して配線作業を容易にすることを目的としている。
【課題を解決するための手段】
【０００４】
後記実施形態の図面（図１〜３）の符号を援用して本発明を説明する。
請求項１の発明にかかる電動シャッターは下記のように構成されている。
この電動シャッターにおいては、建物等の開口１などを開閉する開閉カーテン６と、この開閉カーテン６を開閉動させる駆動部５と、接点１０，１１，１２の入り切り操作により操作信号を入力回路１６に送る操作スイッチ部９と、その入力回路１６からの操作信号の入力に基づきこの駆動部５に制御信号を出力してこの駆動部５を駆動制御する開閉動処理装置１３とを備えている。前記操作信号の入力時に前記開閉動処理装置１３から流れる出力電流が通る変調回路１７を前記操作スイッチ部９の接点（例えば、開動用常開接点１０や閉動用常開接点１１などの常開接点と停止用常閉接点１２などの常閉接点とのうち少なくともいずれかのもの）とこの開閉動処理装置１３との間で前記入力回路１６に対し並列接続するとともに、この変調回路１７に対し復調回路２３をこの操作スイッチ部９の接点１０，１１，１２を介して直列接続している。この開閉動処理装置１３からの情報信号をこの変調回路１６と操作スイッチ部９の接点１０，１１，１２と復調回路２３とを経て取り出し、その復調回路２３からの情報信号を処理する情報処理装置１８を備えている。この情報処理装置１８においては、例えば、表示部２１とブザー２２とのうち少なくともいずれかのものを情報信号の認知手段として備えている。ちなみに、前記変調回路１７とは搬送波に信号波を含ませて被変調波を生じさせることをいい、前記復調回路２３とはその被変調波から信号波を情報信号として取り出すことをいう。
【０００５】
請求項１の発明では、開動運転及び閉動運転の回数などの各種情報信号を既存の操作スイッチ部９における接点１０，１１，１２の出力回線を有効に利用して取り出し、その各種情報信号を情報処理装置１８で処理することができる。従って、運転に関する各種情報信号を取り出すための専用回線を必要とせず、そのための回線を簡略化することができる。また、開閉動処理装置１３から流れる出力電流が変調回路１７と復調回路２３とを通るため、各種情報信号を容易に取り出すことができる。
【０００６】
請求項１の発明を前提とする請求項２の発明においては、前記操作スイッチ部９の接点１０，１１，１２に接続した電源回路２４をこの操作スイッチ部９の接点１０，１１，１２と前記情報処理装置１８との間でこの復調回路２３に対し並列接続し、この電源回路２４をこの情報処理装置１８の電源として利用している。また、この電源回路２４を復調回路２３に接続して復調回路２３の電源として利用してもよい。請求項２の発明では、開閉動処理装置１３から流れる出力電流を情報処理装置１８の電源として有効に利用することができる。
【０００７】
請求項１または請求項２の発明を前提とする請求項３の発明において、前記操作スイッチ部９は、開閉カーテン６を開動させる開動操作信号を入力回路１６に送る開動用常開接点１０と、開閉カーテン６を閉動させる閉動操作信号を入力回路１６に送る閉動用常開接点１１と、開閉カーテン６の開閉動を停止させる停止操作信号を入力回路１６に送る停止用常閉接点１２とを備え、前記操作スイッチ部９の接点はこの開動用常開接点１０と閉動用常開接点１１と停止用常閉接点１２とのうち少なくともいずれかのものである。請求項３の発明では、既存の操作スイッチ部９に設けられている開動用常開接点１０や閉動用常開接点１１や停止用常閉接点１２の出力回線を有効に利用することができる。
【０００８】
請求項１または請求項２または請求項３の発明を前提とする請求項４の発明において、前記開閉動処理装置１３からの情報信号は、開動運転及び閉動運転の回数である。請求項４の発明では、各種情報信号のうち特に開動運転及び閉動運転の回数を監視して電動シャッターの寿命の目安にすることができる。
【０００９】
請求項１から請求項４のうちいずれかの請求項の発明を前提とする請求項５の発明において、前記情報処理装置１８、またはこの情報処理装置１８と前記復調回路２３及び電源回路２４とは前記操作スイッチ部９を設けたスイッチボックス８に内蔵されている。請求項５の発明では、既存のスイッチボックス８を有効利用して情報処理装置１８や復調回路２３や電源回路２４の設置場所としているので、情報処理装置１８や復調回路２３や電源回路２４の設置スペースを節約することができ、情報処理装置１８や復調回路２３や電源回路２４の保守点検を行い易くするとともに、情報処理装置１８に備えられている表示部２１やブザー２２により各種情報信号を確実に認知することができる。
【００１０】
請求項６の発明にかかる電動シャッターは下記のように構成されている。
この電動シャッターにおいては、建物等の開口１などを開閉する開閉カーテン６と、この開閉カーテン６を開閉動させる駆動部５と、接点１０，１１，１２の入り切り操作により操作信号を入力回路１６に送る操作スイッチ部９と、その入力回路１６からの操作信号の入力に基づきこの駆動部５に制御信号を出力してこの駆動部５を駆動制御する開閉動処理装置１３とを備えている。前記操作信号の入力時に前記開閉動処理装置１３から流れる出力電流が通る出力回路１７を前記操作スイッチ部９の接点（例えば、開動用常開接点１０や閉動用常開接点１１などの常開接点と停止用常閉接点１２などの常閉接点とのうち少なくともいずれかのもの）とこの開閉動処理装置１３との間で前記入力回路１６に対し並列接続するとともに、この出力回路１７に対し電源回路２４をこの操作スイッチ部９の接点１０，１１，１２を介して直列接続した。
【００１１】
請求項６の発明では、開閉動処理装置１３から流れる出力電流を情報処理装置１８の電源として有効に利用することができる。
【発明の効果】
【００１２】
本発明は、運転に関する各種情報信号を取り出すための回線や、各種処理装置へ電源を供給するための回線を既存部品の有効利用により簡略化して配線作業を容易にすることができる。
【発明を実施するための最良の形態】
【００１３】
以下、本発明の一実施形態にかかる建物用電動シャッターについて図面を参照して説明する。
図１に示すように、建物の開口１は床１ａと壁Ｗの両ガイドレール２と天井１ｂとの間で形成され、この開口１上の天井１ｂに設置されたケース３内に巻取軸４が支持されているとともに、このケース３外に駆動部としての駆動モータである電動モータ５が取着されている。開閉カーテンとしてのスラットカーテン６は、その上端部で前記巻取軸４に巻かれ、前記開口１の両ガイドレール２間において吊下状態で支持されている。このスラットカーテン６は、両ガイドレール２により案内されながら、巻取軸４に巻き取られて開動向きである上昇向きＡへ移動し得るとともに、巻取軸４から引き出されて閉動向きである下降向きＢへ移動し得る。この電動モータ５に隣接して前記ケース３外には図３にも示す駆動制御ボックス７が設置されている。また、前記壁Ｗには図３にも示すスイッチボックス８が設置されている。
【００１４】
前記スイッチボックス８には操作スイッチ部９が内蔵されている。その操作スイッチ部９には、開動用常開接点（ａ接点）である自動復帰押しボタン式上昇スイッチ１０と、閉動用常開接点（ａ接点）である自動復帰押しボタン式下降スイッチ１１と、停止用常閉接点である（ｂ接点）である自動復帰押しボタン式停止スイッチ１２とが設けられている。
【００１５】
前記駆動制御ボックス７にはコントローラとしてのマイコン１４と駆動回路１５とを備えた開閉動処理装置１３が内蔵され、前記電動モータ５はこの駆動回路１５を介してマイコン１４に接続されている。前記上昇スイッチ１０と下降スイッチ１１と停止スイッチ１２とはそれぞれこの駆動制御ボックス７内の入力回路１６を介してこのマイコン１４に接続されている。前記上昇スイッチ１０とマイコン１４、前記下降スイッチ１１とマイコン１４、前記停止スイッチ１２とマイコン１４との間でそれぞれ駆動制御ボックス７内の変調回路１７（出力回路）が前記入力回路１６に対し出力回線として並列接続されている。
【００１６】
前記スイッチボックス８にはコントローラとしてのマイコン１９とそのマイコン１９に接続された不揮発性メモリ２０、表示部２１及びブザー２２と備えた情報処理装置１８が前記操作スイッチ部９とともに内蔵されている。前記上昇スイッチ１０と下降スイッチ１１と停止スイッチ１２とはそれぞれこのスイッチボックス８内の復調回路２３を介してこのマイコン１９に接続されている。前記上昇スイッチ１０とマイコン１９、前記下降スイッチ１１とマイコン１９、前記停止スイッチ１２とマイコン１９との間でそれぞれスイッチボックス８内の電源回路２４が前記復調回路２３に対し並列接続されているとともに、この電源回路２４がこの復調回路２３にも接続されている。なお、この電源回路２４以外にも図示しない主電源を備えている。
【００１７】
前記自動復帰押しボタン式上昇スイッチ１０を押すと、その上昇スイッチ１０に入力電流が上昇操作信号として流れ、その上昇操作信号が前記入力回路１６を通って開閉動処理装置１３のマイコン１４に入力される。このマイコン１４は、その上昇操作信号に基づき上昇操作モードに切り換え、上昇制御信号を開閉動処理装置１３の駆動回路１５に送る。電動モータ５はこの駆動回路１５に送られた上昇制御信号に基づき駆動制御され、スラットカーテン６が上昇向きＡへ移動して最上昇位置で停止する。
【００１８】
前記自動復帰押しボタン式下降スイッチ１１を押すと、その下降スイッチ１１に入力電流が下降操作信号として流れ、その下降操作信号が前記入力回路１６を通って開閉動処理装置１３のマイコン１４に入力される。このマイコン１４は、その下降操作信号に基づき下降操作モードに切り換え、下降制御信号を開閉動処理装置１３の駆動回路１５に送る。電動モータ５はこの駆動回路１５に送られた下降制御信号に基づき駆動制御され、スラットカーテン６が下降向きＢへ移動して最下降位置で停止する。
【００１９】
前記自動復帰押しボタン式停止スイッチ１２を押すと、その停止スイッチ１２で入力電流が遮断され、その遮断による停止操作信号が前記入力回路１６を通って開閉動処理装置１３のマイコン１４に入力される。このマイコン１４は、その停止操作信号に基づき停止操作モードに切り換え、停止制御信号を開閉動処理装置１３の駆動回路１５に送る。電動モータ５はこの駆動回路１５に送られた停止制御信号に基づき駆動制御され、スラットカーテン６が最上昇位置と最下降位置との間の任意位置で停止する。
【００２０】
前述した上昇操作モード及び下降操作モードでは、開閉動処理装置１３のマイコン１４から出力電流が変調回路１７と停止スイッチ１２とを通って復調回路２３及び電源回路２４に流れる。この電源回路２４を情報処理装置１８のマイコン１９と復調回路２３との電源としてさらに図示しない周辺機器の電源として利用することができる。
【００２１】
また、前記上昇スイッチ１０や下降スイッチ１１を押した状態を保持すれば、この上昇操作モード及び下降操作モードでは、開閉動処理装置１３のマイコン１４から出力電流が変調回路１７と上昇スイッチ１０及び下降スイッチ１１とを通って復調回路２３及び電源回路２４に流れる。この電源回路２４を情報処理装置１８のマイコン１９と復調回路２３との電源としてさらに図示しない周辺機器の電源として利用することができる。
【００２２】
例えば、図２（ａ）（ｂ）（ｃ）（ｄ）で模式的に示すように、各変調回路１７では、図２（ａ）の搬送波に図２（ｂ）の信号波を含ませて変調し、図２（ｃ）の被変調波を生じさせ、各復調回路２３では、その被変調波から図２（ｄ）の信号波を情報信号として取り出す。その情報信号は、情報処理装置１８のマイコン１９に入力され、そのマイコン１９で解析される。マイコン１９は、その情報信号に基づき例えば所定期間の周波数の数を開動運転及び閉動運転の回数としてカウントし、その運転回数を不揮発性メモリ２０に記憶させるとともに表示部２１に表示させる。このような運転回数を監視することにより、電動シャッターの寿命の目安にすることができる。
【００２３】
情報信号としては、前述した運転回数のほかに、例えば、異常動作履歴や回転数等の運転データやリモコンコード等の現在設定内容などを挙げることができる。これらの情報信号を開閉動処理装置１３のマイコン１４が検出して上昇スイッチ１０と下降スイッチ１１と停止スイッチ１２とのうちいずれかのスイッチ１０，１１，１２の出力回線へ選択的に取り出すことができる。前述した開動運転及び閉動運転の回数を含むこれらの情報信号は、順次または同時に各変調回路１７に送られる。開閉動処理装置１３のマイコン１４からの情報信号出力タイミングとしては、例えば、上昇運転及び下降運転の後や、異常動作時や、停止スイッチ１２を押しながら上昇スイッチ１０を３回押す操作のように特定の入力信号があった場合などを挙げることができる。情報処理装置１８のマイコン１９から不揮発性メモリ２０に書き込むタイミングとしては、例えば、一定時間毎や一定運転回数毎に定期的に行ったり、表示部に表示されたら外部操作により行ったり、停電時等に監視電圧が一定電圧を下回ったら行うことなどを挙げることができる。その不揮発性メモリ２０から情報処理装置１８のマイコン１９に読み込むタイミングとしては、例えば、電源投入時などを挙げることができる。いずれも、情報信号の種類に応じて、表示部２１に表示させたりブザー２２を鳴動させたりして知らせることができる。
【００２４】
前記実施形態では上昇スイッチ１０と下降スイッチ１１と停止スイッチ１２とのうちすべてのスイッチ１０，１１，１２を変調回路１７及び復調回路２３に接続するとともに電源回路２４に接続しているが、これらの回路１７，２３，２４を停止スイッチ１２のみに接続するなど、少なくともいずれかのスイッチ１０，１１，１２をこれらの回路１７，２３，２４に接続すればよい。また、電源回路２４を省略するなど、変調回路１７及び復調回路２３と電源回路２４とのうち少なくともいずれかのものをこれらのスイッチ１０，１１，１２に接続すればよい。
【図面の簡単な説明】
【００２５】
【図１】本実施形態にかかる電動シャッターを概略的に示す正面図である。
【図２】（ａ）（ｂ）（ｃ）（ｄ）は情報信号を模式的に示す波形図である。
【図３】上記電動シャッターの概略的電気ブロック回路図である。
【符号の説明】
【００２６】
１…開口、５…電動モータ、６…開閉カーテンとしてのスラットカーテン、８…スイッチボックス、９…操作スイッチ部、１０…開動用常開接点としての上昇スイッチ、１１…閉動用常開接点としての下降スイッチ、１２…停止用常閉接点としての停止スイッチ、１３…開閉動処理装置、１６…入力回路、１７…変調回路、１８…情報処理装置、２３…復調回路、２４…電源回路。
【図１】
2007154420.tif 000003
【図２】
2007154420.tif 000004
【図３】
2007154420.tif 000005